(57)【要約】      （修正有）【課題】サーバ情報端末に蓄積された情報を要求したクライアント情報端末に基地局を介することなく配信する。【解決手段】サーバ情報端末には、クライアント情報端末に配信する情報２ａ及び当該情報のサマリー情報２ｂを蓄積する記憶手段２と、サマリー情報を特定のチャネルを使用して、所定の周期でネットワーク内のクライアント情報端末に送信するサマリー情報送信手段３ｂと、サマリー情報を受信したクライアント情報端末からの要求に応答して情報を送信する情報送信手段３ａとを備え、クライアント情報端末には、サマリー情報に含まれるキーワードを設定して保持するキーワード記憶手段２ｃと、サマリー情報を受信して、自己の保持するキーワードと照合するキーワード照合手段と、キーワードとの一致が得られた場合に、サーバ情報端末に当該キーワードに対応する情報の配信を要求して、送信された情報を受信する情報受信手段４ｃとを備える。【選択図】図２
2008301007.tif 000002
【特許請求の範囲】
【請求項１】
複数台の情報端末で構成される通信ネットワークに含まれる前記情報端末の少なくとも１台の情報端末がサーバ情報端末になり、当該サーバとなった情報端末以外の情報端末をクライアント情報端末として、前記サーバ情報端末に蓄積された情報を要求したクライアント情報端末に配信する情報配信システムであって、
前記サーバ情報端末には、
前記クライアント情報端末に配信する情報及び当該情報のサマリー情報を蓄積する記憶手段と、
前記サマリー情報を特定のチャネルを使用して、所定の周期で前記ネットワーク内の前記クライアント情報端末に送信するサマリー情報送信手段と、
前記サマリー情報を受信した前記クライアント情報端末からの要求に応答じて前記情報を送信する情報送信手段とを備え、
前記クライアント情報端末には、
サマリー情報に含まれるキーワードを設定して保持するキーワード記憶手段と、
前記サマリー情報を受信して、自己の保持するキーワードと照合するキーワード照合手段と、
前記キーワード照合手段で、キーワードとの一致が得られた場合に、前記サーバ情報端末に当該キーワードに対応する情報の配信を要求して、送信された前記情報を受信する情報受信手段と
を備えることを特徴とする情報配信システム。
【請求項２】
前記通信ネットワークは、近距離無線通信を実行する複数台の情報端末で構成されていることを特徴とする請求項１に記載の情報配信システム。
【請求項３】
複数台の情報端末で構成される通信ネットワークに含まれる前記情報端末の少なくとも１台の情報端末がサーバ情報端末になり、当該サーバとなった情報端末以外の情報端末をクライアント情報端末として、前記サーバ情報端末に蓄積された情報を要求したクライアント情報端末に配信する情報配信方法であって、
前記サーバ情報端末に前記クライアント情報端末に配信する情報及び当該情報のサマリー情報を蓄積するステップと、
前記サマリー情報を特定のチャネルを使用して、所定の周期で前記ネットワーク内の前記クライアント情報端末に送信するステップと、
前記クライアント情報端末で、前記サマリー情報を受信して、自己の保持するキーワードと照合して、一致した場合に、前記サーバ情報端末に当該キーワードに対応する情報の配信を要求するステップと、
前記サーバ情報端末から、クライアント情報端末からの情報の配信要求に応じて、当該情報を送信するステップと、
前記サーバ情報端末から送信された前記情報を前記クライアント情報端末で受信するステップと、
を含むことを特徴とする情報配信方法。
【請求項４】
前記サーバ情報端末からの情報を受信した後に、受信した情報とサマリー情報を関付けてクライアント情報端末の記憶手段に格納するステップを含むことを特徴とする請求項３に記載の情報配信方法。
【請求項５】
前記通信ネットワークは、近距離無線通信を実行する複数台の情報端末で構成されていることを特徴とする請求項３に記載の情報配信方法。
【請求項６】
複数台の情報端末で構成される通信ネットワークに含まれる前記情報端末の少なくとも１台の情報端末がサーバ情報端末になり、当該サーバとなった情報端末以外の情報端末をクライアント情報端末として、前記サーバ情報端末に蓄積された情報を要求したクライアント情報端末に配信する情報配信システムで使用する情報端末であって、
前記情報端末には、
前記クライアント情報端末に配信する情報及び当該情報のサマリー情報と、前記サマリー情報に含まれるキーワードを記憶するキーワード記憶手段と、
前記サマリー情報を特定のチャネルを使用して、所定の周期で前記ネットワーク内の前記クライアント情報端末に送信するサマリー情報送信手段と、
前記クライアント情報端末からの要求に応答じて前記情報を送信する情報送信手段と、
前記サマリー情報を受信して、自己の保持するキーワードと照合するキーワード照合手段と、
前記キーワード照合手段でのキーワードとの一致時にサーバ情報端末に情報の配信を要求する配信要求送信手段と、
前記クライアント情報端末からの配信要求及び、前記サーバ情報端末からの情報を受信する受信手段と、
を備えることを特徴とする情報端末。
【請求項７】
前記情報端末は、近距離無線通信を実行する情報端末であることを特徴とする請求項６に記載の情報端末。
【発明の詳細な説明】
【技術分野】
【０００１】
本発明は、複数の情報端末で構成される通信ネットワークを利用した情報配信システム、情報配信方法及び情報端末に関する。
【背景技術】
【０００２】
従来の情報（データ）配信システムとしては以下（特許文献１参照）の配信システムが知られている。
そして、上記文献１には、以下の技術が開示されている。
「サーバのマルチキャストデータを配下のネットワークに属する装置に同報的に転送する機能を有し、配下のネットワークに属する装置から、あるマルチキャストデータの受信開始を通知するための受信開始メッセージを受信すると、当該マルチキャストデータを配下のネットワークに転送中でない場合、当該マルチキャストデータの転送を開始する機能を有するデータ転送装置と、前記データ転送装置の配下にあり、データ転送装置から転送されたマルチキャストデータを、配下の複数の無線端末装置に対して、共通の無線コネクションを使用して同報的に配信する機能を有する無線基地局装置と、前記無線基地局装置の配下にあり、無線基地局装置から配信されたマルチキャストデータを受信する無線端末装置とから構成されるデータ配信システムにおいて、
前記無線基地局装置に対し無線接続またはネットワーク接続され、マルチキャストデータの配信開始を要求するための配信開始要求メッセージを送信する機能を有する配信設定装置を備え、前記無線基地局装置は、配信設定装置から、あるマルチキャストデータの配信開始要求メッセージを受信した場合、当該マルチキャストデータの受信開始メッセージを生成し、データ転送装置に送信する受信開始メッセージ生成・送信手段を有し、マルチキャストデータを受信する無線端末装置から上り回線を使用して受信開始メッセージを送信することなく、配信設定装置から指定されたマルチキャストデータが、データ転送装置で転送が開始され、無線基地局装置で配信が開始できることを特徴とするデータ配信システム。」
【０００３】
【特許文献１】特許第３７０５４２７号
【発明の開示】
【発明が解決しようとする課題】
【０００４】
上述の従来のデータ配信システムでは、無線端末装置間のデータ配信を無線基地局を介して実行しているために、無線基地局の処理負担が大きいという問題があった。
【０００５】
本発明は、上記問題点を解決するためになされたものであり、複数台の情報端末で構成される通信ネットワークに含まれる前記情報端末の少なくとも１台の情報端末がサーバ情報端末になり、当該サーバとなった情報端末以外の情報端末をクライアント情報端末として、前記サーバ情報端末に蓄積された情報を要求したクライアント情報端末に基地局を介することなく配信する情報配信システムを提供することにある。
【課題を解決するための手段】
【０００６】
前記課題を解決するために、本発明に係る情報配信システムは、複数台の情報端末で構成される通信ネットワークに含まれる前記情報端末の少なくとも１台の情報端末がサーバ情報端末になり、当該サーバとなった情報端末以外の情報端末をクライアント情報端末として、前記サーバ情報端末に蓄積された情報を要求したクライアント情報端末に配信する情報配信システムであって、
前記サーバ情報端末には、
前記クライアント情報端末に配信する情報及び当該情報のサマリー情報を蓄積する記憶手段と、前記サマリー情報を特定のチャネルを使用して、所定の周期で前記ネットワーク内の前記クライアント情報端末に送信するサマリー情報送信手段と、
前記サマリー情報を受信した前記クライアント情報端末からの要求に応答じて前記情報を送信する情報送信手段とを備え、
前記クライアント情報端末には、
サマリー情報に含まれるキーワードを設定して保持するキーワード記憶手段と、
前記サマリー情報を受信して、自己の保持するキーワードと照合するキーワード照合手段と、前記キーワード照合手段で、キーワードとの一致が得られた場合に、前記サーバ情報端末に当該キーワードに対応する情報の配信を要求して、送信された前記情報を受信する情報受信手段とを備えることを特徴とする。
【０００７】
上記構成によって、サーバとなった情報端末から、それ以外のクライアント情報端末に対して、サーバ情報端末に蓄積された情報を基地局を介することなく配信する情報配信システムを実現できる。
【０００８】
また、本発明に係る情報配信方法は、
複数台の情報端末で構成される通信ネットワークに含まれる前記情報端末の少なくとも１台の情報端末がサーバ情報端末になり、当該サーバとなった情報端末以外の情報端末をクライアント情報端末として、前記サーバ情報端末に蓄積された情報を要求したクライアント情報端末に配信する情報配信方法であって、
前記サーバ情報端末に前記クライアント情報端末に配信する情報及び当該情報のサマリー情報を蓄積するステップと、前記サマリー情報を特定のチャネルを使用して、所定の周期で前記ネットワーク内の前記クライアント情報端末に送信するステップと、前記クライアント情報端末で、前記サマリー情報を受信して、自己の保持するキーワードと照合して、一致した場合に、前記サーバ情報端末に当該キーワードに対応する情報の配信を要求するステップと、前記サーバ情報端末から、クライアント情報端末からの情報の配信要求に応じて、当該情報を送信するステップと、前記サーバ情報端末から送信された前記情報を前記クライアント情報端末で受信するステップとを含むことを特徴とする。
【０００９】
上記方法によって、サーバとなった情報端末から、それ以外のクライアント情報端末に対して、サーバ情報端末に蓄積された情報を基地局を介することなく配信することができる。
【００１０】
また、本発明に係る情報端末は、
複数台の情報端末で構成される通信ネットワークに含まれる前記情報端末の少なくとも１台の情報端末がサーバ情報端末になり、当該サーバとなった情報端末以外の情報端末をクライアント情報端末として、前記サーバ情報端末に蓄積された情報を要求したクライアント情報端末に配信する情報配信システムで使用する情報端末であって、
前記情報端末には、
前記クライアント情報端末に配信する情報及び当該情報のサマリー情報と、前記サマリー情報に含まれるキーワードを記憶するキーワード記憶手段と、前記サマリー情報を特定のチャネルを使用して、所定の周期で前記ネットワーク内の前記クライアント情報端末に送信するサマリー情報送信手段と、前記クライアント情報端末からの要求に応答じて前記情報を送信する情報送信手段と、前記サマリー情報を受信して、自己の保持するキーワードと照合するキーワード照合手段と、前記キーワード照合手段でのキーワードとの一致時にサーバ情報端末に情報の配信を要求する配信要求送信手段と、前記クライアント情報端末からの配信要求及び、前記サーバ情報端末からの情報を受信する受信手段とを備えることを特徴とする。
【００１１】
上記情報端末によって、複数台の情報端末で構成される通信ネットワークに含まれる前記情報端末の少なくとも１台の情報端末がサーバ情報端末になり、当該サーバとなった情報端末以外の情報端末をクライアント情報端末として、前記サーバ情報端末に蓄積された情報を要求したクライアント情報端末に基地局を介することなく配信する情報配信システムにおけるサーバ情報端末としてもクライアント情報端末としても利用が可能となる。
【発明の効果】
【００１２】
本発明によれば、情報端末間のデータ配信を無線基地局を介さずに実行するため、無線基地局の処理負担を軽減することができる。
また、基地局を介さずにデータ配信ができるので、ネットワークの負荷が集中している場合でも情報配信が可能である。
また、クライアント情報端末が希望（配信要求）した場合のみ情報が配信されるので、クライアント情報端末が意図しない情報を配信されることがない。
また、クライアント情報端末では、配信された情報を受信後に、キーワードを含むサマリー情報と共に自己の記憶手段に蓄積することによって、受信情報の活用の可能性が高めることができる。
【発明を実施するための最良の形態】
【００１３】
本発明の情報配信システムは、図１に示す如く、複数台の情報端末a1〜anで構成される通信ネットワークNで実現できる。
情報端末としては、近距離無線通信（例えば、Bluetooth，ZigBee，UWB（Ultra Wide Band等がある。）用の無線通信端末装置が使用できる。
図１では、通信ネットワークNを構成する複数台の情報端末a1〜anの内のa5(s)がサーバ情報端末であり、他のa1〜a4，a6〜anがクライアント情報端末である。（なお、サーバ情報端末は、必ずしもa5の情報端末である必要はなく、他の情報端末がサーバ情報端末となっても良い。また、サーバ情報端末は、通信ネットワークN内に必ずしも１台である必要はなく、複数台のサーバ情報端末が存在しても良い。）
【００１４】
ネットワークNの範囲は、使用される上述の近距離無線通信システムによって１０〜１００ｍ程度と異なっている。
【００１５】
図２は、図１のネットワークNを構成する個々の情報端末a1〜anの構成を示すブロック図である。
図２において、１は情報端末であり、該情報端末は、記憶手段２，送信手段３，受信手段４，制御手段（CPU）５，キーワード照合手段６で構成されている。
【００１６】
前記記憶手段２には、情報（コンテンツ）記憶手段2a，サマリー情報記憶手段2b，キーワード記憶手段2cが含まれている。
また、前記送信手段３には、情報（コンテンツ）送信手段3a，サマリー情報送信手段3b，配信要求送信手段3cが含まれている。
また、前記受信手段４には、配信要求受信手段4a，サマリー情報受信手段4b，情報（コンテンツ）受信手段4cが含まれている。
【００１７】
図２における破線ｓで囲まれた部分は、情報端末がクライアント情報端末として使用される場合に必要とされる部分であって、情報端末をサーバ情報端末のみで使用する場合には、この破線ｓで囲まれた構成はなくとも良いが、情報端末をサーバ情報端末及びクライアント情報端末の両方で使用する場合があるので、情報端末としては図２の構成の全てを備えることが望ましい。
【００１８】
次に、本発明の情報配信システムのサーバ情報端末側及びクライアント情報端末側の動作を図３のフローチャートを用いて説明する。
図３のフローチャートの動作の前提として、サーバ情報端末となる情報端末には、他の情報端末に配信する情報（コンテンツ）及び当該情報（コンテンツ）のサマリー情報を蓄積してあり、クライアント情報端末となる情報端末には、サマリー情報に含まれるキーワードが、設定され記憶手段２に記憶されているものとする。
【００１９】
先ず、図３(a)のサーバ情報端末の動作を説明する。
・記憶手段２のサマリー情報記憶手段2aに記憶されているサマリー情報をネットワームＮ内に特定のチャネル（報知チャネル）を使用して所定周期で報知する。（ステップS1）
・ネットワークN内のクライアント情報端末からの配信要求を受信したか否かの判断をする。（ステップS2）
・前記ステップS2での判断で、YES（配信要求受信）の場合には、サマリー情報の報知を停止する。（ステップS3）
・前記ステップS2での判断で、NO（配信要求受信せず）の場合には、ステップS1に戻って、サマリー情報の報知を繰り返す。
・配信要求のあった情報端末に対して、情報（コンテンツ）を送信する。（ステップS4）
・情報（コンテンツ）の送信が完了したか否かの判断をする。（ステップS5）
・前記ステップS5での判断で、YES（送信完了）の場合には、サマリー情報の報知を再開する。（ステップS6）
・前記ステップS5での判断で、NO（送信完了せず）の場合には、ステップS4に戻って、情報（コンテンツ）を送信を継続する。
【００２０】
次に、図３（ｂ）のクライアント情報端末の動作を説明する。
・ネットワークN内のクライアント情報端末は、上記ステップS1でサマリー情報を報知している特定のチャネルを一定間隔でサマリー情報の有無をサーチする。（ステップS11）
・前記ステップS11でのサーチの結果、サマリー情報を検出したか否かの判断をする。（ステップS12）
・前記ステップS12での判断で、YES（サマリー情報検出）の場合には、既に取得済みのサマリー情報であるか否かの判断をする。（ステップS13）
・前記ステップS12での判断で、NO（サマリー情報未検出）の場合には、ステップS11に戻ってサマリー情報のサーチを継続する。
・前記ステップS13での判断で、YES（未取得サマリー情報）の場合には、当該サマリー情報が設定済みのキーワードと一致するか否かの判断をする。（ステップS14）
・前記ステップS13での判断で、NO（既に取得済みサマリー情報）の場合には、ステップS11に戻ってサマリー情報のサーチを継続する。
・前記ステップS14での判断で、YES（キーワード一致）の場合には、取得したサマリー情報を一時保存して、サーバ情報端末に情報配信要求（受信要求メッセージ）を送信する。（ステップS15）
・前記ステップS14での判断で、NO（一致せず）の場合には、ステップS11に戻ってサマリー情報のサーチを継続する。
・サーバ情報端末から送信された情報（コンテンツ）を受信する。（ステップS16）
・情報（コンテンツ）の受信が完了したか否かの判断をする。（ステップS17）
・前記ステップS17での判断で、YES（受信完了）の場合には、受信した情報（コンテンツ）と一時保存してあるサマリー情報を関連ずけて保存する。（ステップS18）
・前記ステップS17での判断で、NO（受信完了せず）の場合には、ステップS16に戻って、情報（コンテンツ）を受信を継続する。
【００２１】
なお、上記のフローチャートでは、ステップS14でのキーワードの一致後に直ちに、情報（コンテンツ）配信要求を送信するようになっているが、一時保存したサマリー情報をフラッシュメモリ等の不揮発性メモリに格納しておいて、帰宅後等に情報（コンテンツ）配信要求を送信するようにしても良い。
【図面の簡単な説明】
【００２２】
【図１】本発明の複数台の情報端末a1〜anで構成される通信ネットワークNを示す図である。
【図２】図１のネットワークNを構成する個々の情報端末a1〜anの構成を示すブロック図である。
【図３】本発明の情報配信システムのサーバ情報端末側及びクライアント情報端末側の動作を説明するフローチャートである。
【符号の説明】
【００２３】
１  ：情報端末
２  ：記憶手段
2a  ：情報（コンテンツ）記憶手段
2b  ：サマリー情報記憶手段
2c  ：キーワード記憶手段
３  ：送信手段
3a  ：情報（コンテンツ）送信手段
3b  ：サマリー情報送信手段
3c  ：配信要求送信手段
４  ：受信手段
4a  ：配信要求受信手段
4b  ：サマリー情報受信手段
4c  ：情報（コンテンツ）受信手段
５  ：制御手段（CPU）
６  ：キーワード照合手段
a5(s)  ：サーバ情報端末
Ｎ  ：通信ネットワーク
a1〜an情報端末
【図１】
2008301007.tif 000003
【図２】
2008301007.tif 000004
【図３】
2008301007.tif 000005